【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
シーラント化合物または組成物を含むように構成され、加圧空気／気体源に着脱自在に取り付けられるように構成された少なくとも１つの入口手段を含む容器と、
前記容器に結合されるように構成され、被封止物品に着脱自在に係合または接続されるように構成された少なくとも１つの出口手段を含む抽出ユニットを含む抽出アッセンブリと、
前記容器内に配置されるとともに加圧空気／流体／気体の前記容器への供給時に、前記容器から前記抽出ユニットを介した前記被封止物品への前記シーラント化合物または組成物の制御分注を可能にするよう作動可能であるように構成された手段とを含み、
前記抽出ユニットは前記容器から離れたその端部に起立面または支持面を備え、使用時に任意の表面上に安定して保持される、膨張式物品を封止する装置。
【請求項２】
前記加圧空気／気体源が空気圧縮機であり、その空気圧縮機により圧力下の空気を、前記少なくとも１つの入口手段を介して前記容器内に導入可能であり、前記少なくとも１つの入口手段が前記容器に結合される一方向バルブである請求項１に記載の装置。
【請求項３】
前記加圧空気／気体源が、前記少なくとも１つの入口手段を介して前記容器に着脱自在に接続可能であるように構成された加圧空気／気体の少なくとも１つのボトル等容器であるとともに、前記少なくとも１つの入口手段が一方向バルブを含み、
前記容器が、その上部から実質的に垂直に延びるネック部を含み、前記ネック部が前記容器の上部の実質的に中央に配置されるとともに、前記ネック部がその長さ寸法の少なくとも一部に沿って延びている複数の雄ねじを有する請求項１に記載の装置。
【請求項４】
前記抽出ユニットが前記容器の前記ネック部に着脱自在に接続可能であり、前記抽出ユニットがその長さ寸法の少なくとも一部に沿って延びる複数の雌ねじを含み、断面で見た場合前記抽出ユニットが実質的に円筒状である請求項３に記載の装置。
【請求項５】
前記抽出ユニットが一体の構造物であるとともに、その端部間の中間の位置に、その横方向に延びる壁または閉鎖手段を含み、前記壁または閉鎖手段が前記抽出ユニットを２つの部分に分割し、第１の部分は使用時に前記容器の前記ネック部内に配置されるように構成されるとともに、第２の部分は使用時に前記容器の前記ネック部から延びるまたは突出するように構成されている請求項４に記載の装置。
【請求項６】
前記第１の部分が、実質的に前記ネック部の中央に配置されるとともに前記壁または閉鎖手段を通って延びる開口に流体接続された、前記第１の部分の長さと少なくとも同等な長さの中空円筒状突起を含み、前記突起が使用時に前記容器内に延びるように構成されている請求項５に記載の装置。
【請求項７】
前記第２の部分が、前記壁または閉鎖手段の前記開口と流体接続し、前記抽出ユニットの横方向に突出する出口ダクトまたは手段を含み、前記出口ダクトまたは手段が、管、ホース等との着脱自在な接続を可能にして前記容器の内容物の通過を可能にする手段を含む請求項５または６に記載の装置。
【請求項８】
前記容器がプラスチック材料から製造されている請求項１〜７のうちのいずれか１項に記載の装置。
【請求項９】
前記抽出ユニットが一体の構造物であるとともに、プラスチック材料から製造されている請求項１〜８のうちのいずれか１項に記載の装置。
【請求項１０】
前記抽出ユニットが少なくとも実質的に円筒状の接続部を含み、台部が前記接続部の端部に隣接し、前記台部の前記容器から遠い側が起立面として形成されている請求項９に記載の装置。
【請求項１１】
充填ラインが前記抽出ユニットの前記第２の部分の前記出口ダクトまたは手段に接続されるように構成されており、前記充填ラインが前記被封止物品のバルブに係合可能である請求項７〜１０のうちのいずれか１項に記載の装置。
【請求項１２】
前記分注手段が使用時に前記容器内に配置されるとともに前記抽出ユニットの前記第１の部分の前記中空円筒状突起と流体接続するように構成されており、前記分注手段が前記抽出ユニットから離間したその自由端と結合される流れ制御アッセンブリを有する所定長さの管の形状である請求項５〜１１のうちのいずれか１項に記載の装置。
【請求項１３】
前記流れ制御アッセンブリが、前記管の前記自由端の上に載置される／前記自由端に結合されるように構成された実質的円筒状キャップ様部材と、使用時に差し込み口に結合されるように構成された封止手段とを含み、前記キャップ様部材がそこから延びる周辺スカートを有する基部を含み、前記基部が実質的にその中心に配置された前記差し込み口を含むとともに、前記基部が前記シーラント化合物または組成物の指向流を可能にする貫通して延びる対向開口を含む請求項１２に記載の装置。
【請求項１４】
前記キャップ様部材の前記基部に垂直に突出する前記差し込み口が、異なる径のものの並置された長さを含み、その接合線に肩部を有し、封止手段が圧力下で前記肩部と結合および分離するように移動可能であることにより、前記管内へのシーラント化合物の流れを制御する請求項１３に記載の装置。
【請求項１５】
使用時にシーラント化合物または組成物の容器に着脱自在に結合または接続されるように構成された抽出ユニットと、
前記抽出ユニットと流体接続して前記容器内に配置されるように構成された手段とを含み、
前記抽出ユニットが使用時に膨張式物品に着脱自在に接続されるように構成された少なくとも１つの出口手段を含み、それにより前記容器から前記抽出ユニットを介した前記膨張式物品内への前記シーラント化合物または組成物の流れを可能にし、
前記手段が前記容器への加圧空気／流体／気体の供給時に、前記シーラント化合物または組成物の制御分注を可能にするように作動可能であり、
前記抽出ユニットは前記容器から離れたその端部に起立面または支持面を備え、使用時に任意の表面上に安定して保持される、損傷した膨張式物品の封止／補修用のシーラント化合物または組成物の容器と共に使用する抽出アッセンブリ。
【請求項１６】
前記容器が、その上部から実質的に垂直に延びるネック部を含み、前記ネック部が前記容器の上部の実質的に中央に配置され、
前記ネック部がその長さ寸法の少なくとも一部に沿って延びている複数の雄ねじを有する請求項１５に記載の抽出アッセンブリ。
【請求項１７】
前記抽出ユニットが前記容器の前記ネック部に着脱自在に接続可能である請求項１６に記載の抽出アッセンブリ。
【請求項１８】
前記抽出ユニットがその長さ寸法の少なくとも一部に沿って延びる複数の雌ねじを含み、断面で見た場合前記抽出ユニットが実質的に円筒形状である請求項１５〜１７のうちのいずれか１項に記載の抽出アッセンブリ。
【請求項１９】
前記抽出ユニットが一体の構造物であるとともに、その端部間の中間の位置に、その横方向に延びる壁または閉鎖手段を含み、前記壁または閉鎖手段が前記抽出ユニットを２つの部分に分割し、第１の部分は使用時に前記容器の前記ネック部内に配置されるように構成されるとともに、第２の部分は使用時に前記容器の前記ネック部から延びるまたは突出するように構成されている請求項１８に記載の抽出アッセンブリ。
【請求項２０】
前記第１の部分が、実質的に前記ネック部の中央に配置されるとともに前記壁または閉鎖手段を通して延びる開口に流体接続された、前記第１の部分の長さと少なくとも同等な長さの中空円筒状突起を含み、前記突起が使用時に前記容器内に延びるように構成されている請求項１９に記載の抽出アッセンブリ。
【請求項２１】
前記第２の部分が、前記壁または閉鎖手段の前記開口と流体接続し、前記抽出ユニットの横方向に突出する出口ダクトまたは手段を含み、前記出口ダクトまたは手段が、管、ホース等との着脱自在な接続を可能にして前記容器の内容物の通過を可能にする手段を含む請求項１９または２０に記載の抽出アッセンブリ。
【請求項２２】
前記抽出ユニットがプラスチック材料から製造されている請求項１５〜２１のうちのいずれか１項に記載の抽出アッセンブリ。
【請求項２３】
前記抽出ユニットが少なくとも実質的に円筒状の接続部を含み、台部が前記接続部の端部に隣接し、前記台部の前記容器から遠い側が起立面として形成されている請求項２２に記載の抽出アッセンブリ。
【請求項２４】
充填ラインが前記抽出ユニットの前記第２の部分の前記出口ダクトまたは手段に接続されるように構成されており、前記充填ラインが前記被封止物品のバルブに係合可能である請求項２１〜２３のうちのいずれか１項に記載の抽出アッセンブリ。
【請求項２５】
前記分注手段が使用時に前記容器内に配置されるとともに前記抽出ユニットの前記第１の部分の前記中空円筒状突起と流体接続するように構成されており、前記分注手段が前記抽出ユニットから離間したその自由端と結合される流れ制御アッセンブリを有する所定長さの管の形状である請求項１５〜２４のうちのいずれか１項に記載の抽出アッセンブリ。
【請求項２６】
前記流れ制御アッセンブリが、前記管の前記自由端の上に載置される／前記自由端に結合されるように構成された実質的円筒状キャップ様部材と、使用時に差し込み口に結合されるように構成された封止手段とを含み、前記キャップ様部材がそこから延びる周辺スカートを有する基部を含み、前記基部が実質的にその中心に配置された前記差し込み口を含むとともに、前記基部が前記シーラント化合物または組成物の指向流を可能にする貫通して延びる対向開口を含み、
前記キャップ様部材の前記基部に垂直に突出する前記差し込み口が、異なる径の並置された長さのものを含み、その接合線に肩部を有し、封止手段が圧力下で前記肩部と結合および分離するように移動可能であることにより、前記管内へのシーラント化合物の流れを制御する請求項２５に記載の抽出アッセンブリ。
【請求項２７】
前記容器が、加圧空気／気体源に着脱自在に取り付けられるように構成された少なくとも１つの出口手段を含む請求項１５〜２６のうちのいずれか１項に記載の抽出アッセンブリ。
【請求項２８】
前記加圧空気／気体源が空気圧縮機であり、その空気圧縮機により圧力下の空気を、前記少なくとも１つの入口手段を介して前記容器内に導入可能であり、前記少なくとも１つの入口手段が前記容器に結合される一方向バルブである請求項２７に記載の抽出アッセンブリ。
【請求項２９】
前記加圧空気／気体源が、前記少なくとも１つの入口手段を介して前記容器に着脱自在に接続可能であるように構成された加圧空気／気体の少なくとも１つのボトル等容器であるとともに、前記少なくとも１つの入口手段が一方向バルブを含む請求項２７に記載の抽出アッセンブリ。
【請求項３０】
使用時に容器内に配置されるとともに請求項１５に記載されるような抽出ユニットと流体接続するように構成された所定長さの管等と、前記管等の自由端の上に載置される実質的円筒状キャップ様部材と、差し込み口に結合される封止手段とを含み、前記キャップ様部材がそこから延びる周辺スカートを有する基部を含むとともに、前記基部の実質的中央に配置されるとともに下方にかつ実質的に垂直に垂下する前記差し込み口をさらに含み、前記基部が前記シーラント化合物または組成物の指向流を可能にする貫通して延びる開口を含む、容器からのシーラント化合物または組成物の制御された一方向流を確実なものにする流れ制御アッセンブリ。
【手続補正２】
【補正対象書類名】明細書
【補正対象項目名】０００９
【補正方法】変更
【補正の内容】
【０００９】
本発明の一態様によれば膨張式物品を封止する装置が提供され、上記装置はシーラント化合物または組成物を含むように構成され、加圧空気／気体源に着脱自在に取り付けられるように構成された少なくとも１つの入口手段（注入手段）を含む容器と、容器に結合されるように構成され、被封止物品に着脱自在に係合または接続されるように構成された少なくとも１つの出口手段（排出手段）を有する抽出ユニットを含む抽出アッセンブリと、容器内に配置されるとともに加圧空気／流体／気体の容器への供給時に、容器から被封止物品へのシーラント化合物または組成物の注入／排出を考慮して作動するように構成された手段とを含み、上記抽出ユニットは上記容器から離れたその端部に起立面または支持面を備え、使用時に任意の表面上に安定して保持される。
【手続補正３】
【補正対象書類名】明細書
【補正対象項目名】００１０
【補正方法】変更
【補正の内容】
【００１０】
本発明の他の態様によれば、損傷した膨張式物品の封止／補修の為に、シーラント化合物または組成物の容器と共に使用する抽出アッセンブリが提供され、上記抽出アッセンブリは使用時にシーラント化合物または組成物の容器に着脱自在に結合または接続されるように構成された抽出ユニットと、抽出ユニットと流体接続（ｆｌｏｗ  ｃｏｎｎｅｃｔｉｏｎ）して容器内に配置されるように構成された手段とを含み、上記抽出ユニットは使用時に膨張式物品に着脱自在に接続されるように構成された少なくとも１つの出口手段を含み、それにより容器から抽出ユニットを介した膨張式物品内へのシーラント化合物または組成物の流れを可能にし、上記手段は、容器への加圧空気／流体／気体の供給時に、そこからのシーラント化合物または組成物の制御分注を可能にするように作動可能であり、上記抽出ユニットは上記容器から離れたその端部に起立面または支持面を備え、使用時に任意の表面上に安定して保持される。
【手続補正４】
【補正対象書類名】明細書
【補正対象項目名】００１１
【補正方法】変更
【補正の内容】
【００１１】
本発明のさらなる態様によれば、容器からのシーラント化合物または組成物の制御された一方向流を確実なものにする流れ制御アッセンブリが提供され、上記流れ制御アッセンブリは使用時に容器内に配置されるとともに上記他の態様の抽出ユニットと流体接続するように構成された所定長さの管等と、上記管等の自由端の上に載置される実質的円筒状キャップ様部材と、差し込み口に結合される封止手段とを含み、上記キャップ様部材がそこから延びる周辺スカートを有する基部を含むとともに、上記基部の実質的中央に配置されるとともに下方にかつ実質的に垂直に垂下する上記差し込み口をさらに含み、上記基部が上記シーラント化合物または組成物の指向流を可能にする貫通して延びる開口を含む。
【手続補正５】
【補正対象書類名】図面
【補正対象項目名】全図
【補正方法】変更
【補正の内容】
【図１】
2009507682.tif 000001
【図２】
2009507682.tif 000002
【図３ａ】
2009507682.tif 000003
【図３ｂ】
2009507682.tif 000004
【図４】
2009507682.tif 000005
【図５】
2009507682.tif 000006
【図６】
2009507682.tif 000007